(57)【要約】【課題】ネットワーク上の各画像形成装置の動作状態にかかわらず、各画像形成装置のオプション機器をネットワークを通じて連係動作させる。【解決手段】１台の画像形成装置２のオプション機器４の電源スイッチ４３がオンにされて、機能部４２が起動されると、オプション機器４の起動を指示する制御データが生成される。そして、この制御データがオプション機器４→画像形成装置２→ネットワーク３→他の画像形成装置２→他の画像形成装置２のオプション機器４へと送受され、この制御データに基づいて他の画像形成装置２のオプション機器４の機能部４２が起動される。【選択図】図１
2011124626.tif 000002
【特許請求の範囲】
【請求項１】
それぞれのオプション機器が接続された複数の画像形成装置をネットワークを通じて接続したネットワークシステムであって、
前記オプション機器は、このオプション機器の制御データを該オプション機器が接続された画像形成装置との間で送受するデータ入出力部を備え、
前記画像形成装置は、この画像形成装置に接続された前記オプション機器との間で前記制御データを送受するデータ通信部と、前記ネットワークを通じて他の画像形成装置との間で前記制御データを送受するネットワーク通信部とを備え、
前記オプション機器の制御データを前記各画像形成装置及び前記ネットワークを通じて他のオプション機器へと通信し、前記制御データに基づき前記各オプション機器を制御することを特徴とするネットワークシステム。
【請求項２】
請求項１に記載のネットワークシステムであって、
前記制御データは、前記オプション機器の起動を示すことを特徴とするネットワークシステム。
【請求項３】
請求項２に記載のネットワークシステムであって、
前記制御データは、前記各オプション機器のいずれかでなされた起動を指示する入力操作に応答して生成されることを特徴とするネットワークシステム。
【請求項４】
請求項１〜３のいずれか１つに記載のネットワークシステムであって、
前記オプション機器は、前記制御データに基づき該オプション機器を制御する制御部を備えることを特徴とするネットワークシステム。
【請求項５】
請求項１〜４のいずれか１つに記載のネットワークシステムであって、
前記画像形成装置のデータ通信部及びネットワーク通信部は、この画像形成装置が省電力状態で停止されていても動作することを特徴とするネットワークシステム。
【請求項６】
請求項１〜５のいずれか１つに記載のネットワークシステムであって、
前記オプション機器は、このオプション機器が接続された画像形成装置が停止されていても起動可能であることを特徴とするネットワークシステム。
【請求項７】
ネットワーク上の複数の画像形成装置にそれぞれ接続されて用いられる画像形成装置のオプション機器であって、
前記オプション機器の制御データを前記各画像形成装置及び前記ネットワークを通じて他のオプション機器へと通信するデータ入出力部を備え、前記制御データに基づき前記各オプション機器を制御することを特徴とする画像形成装置のオプション機器。
【請求項８】
それぞれのオプション機器が接続された複数の画像形成装置をネットワークを通じて接続したネットワークシステムにおけるオプション機器の制御方法であって、
前記各画像形成装置の動作状態にかかわらず、前記各画像形成装置及び前記ネットワークを通じて、前記各オプション機器間で制御データを送受し、前記制御データに基づき各オプション機器を制御することを特徴とするネットワークシステムにおけるオプション機器の制御方法。
【発明の詳細な説明】
【技術分野】
【０００１】
本発明は、それぞれのオプション機器が接続された複数の画像形成装置をネットワークを通じて接続したネットワークシステム、画像形成装置のオプション機器、及びネットワークシステムにおけるオプション機器の制御方法に関する。
【背景技術】
【０００２】
この種のネットワークシステムにおいては、複数の画像形成装置をネットワークを通じて接続し、各画像形成装置間で画像データを送受することを可能にしている。画像形成装置は、例えば原稿の画像を読取って、この読取った原稿画像を示す画像データを送信したり、受信した画像データによって示される画像を記録用紙に印刷する。
【０００３】
また、特許文献１では、複数のパーソナルコンピュータ及び複数の印刷装置をネットワークを通じて接続し、パーソナルコンピュータから印刷装置へと画像データを送受して、印刷装置で画像データによって示される画像を印刷するようにしている。更に、パーソナルコンピュータの１つでも電源がオンにされると印刷装置の電源もオンにして、印刷装置による印刷を直ちに行い得るようにしている。
【先行技術文献】
【特許文献】
【０００４】
【特許文献１】特開平７−１９５８０２号公報
【発明の概要】
【発明が解決しようとする課題】
【０００５】
ところで、画像形成装置には、種々のオプション機器を選択的に組み合わせて接続することが可能であって、これらのオプション機器により複写、原稿読取り、プリント、及び画像データ通信等の複数種の処理を行い得るものがある。これにより、オフィスでの利便性が高められる。
【０００６】
更に、近年は、画像形成装置のオプション機器が多様化して来ており、画像形成装置が停止されていても、オプション機器が動作していれば、このオプション機器を利用し得ることがある。例えば、オプション機器としてファクシミリ通信装置を組み合わせた場合は、画像形成装置が停止されていても、ファクシミリ通信装置が動作していれば、ファクシミリ受信を行うことができる。
【０００７】
このため、ネットワーク上の複数の画像形成装置に、そのような単独で利用可能なオプション機器をそれぞれ搭載した場合は、各画像形成装置の動作状態にかかわらず、各画像形成装置のオプション機器をネットワークを通じて連係動作させることが考えられるが、そのような連係動作は未だに実現されていない。
【０００８】
特許文献１では、パーソナルコンピュータの電源オンに連係して印刷装置の電源をオンにしているが、印刷装置のオプション機器同士での連係動作が実現されているわけではない。
【０００９】
そこで、本発明は、上記課題を解決するためになされたものであり、ネットワーク上の各画像形成装置の動作状態にかかわらず、各画像形成装置のオプション機器をネットワークを通じて連係動作させることが可能なネットワークシステム、画像形成装置のオプション機器、及びネットワークシステムにおけるオプション機器の制御方法を提供することを目的とする。
【課題を解決するための手段】
【００１０】
上記課題を解決するために、本発明のネットワークシステムは、それぞれのオプション機器が接続された複数の画像形成装置をネットワークを通じて接続したネットワークシステムであって、前記オプション機器は、このオプション機器の制御データを該オプション機器が接続された画像形成装置との間で送受するデータ入出力部を備え、前記画像形成装置は、この画像形成装置に接続された前記オプション機器との間で前記制御データを送受するデータ通信部と、前記ネットワークを通じて他の画像形成装置との間で前記制御データを送受するネットワーク通信部とを備え、前記オプション機器の制御データを前記各画像形成装置及び前記ネットワークを通じて他のオプション機器へと通信し、前記制御データに基づき前記各オプション機器を制御している。
【００１１】
このようなシステムでは、オプション機器の制御データを各画像形成装置及びネットワークを通じて他のオプション機器へと通信することができ、制御データに基づき各オプション機器を制御することができる。すなわち、各オプション機器を連係動作させることができる。
【００１２】
また、前記制御データは、前記オプション機器の起動を示している。
【００１３】
この場合は、この制御データが各オプション機器へと通信されて、これらのオプション機器が連係して起動する。すなわち、同時に各オプション機器が起動する。
【００１４】
更に、前記制御データは、前記各オプション機器のいずれかでなされた起動を指示する入力操作に応答して生成されている。
【００１５】
従って、１つのオプション機器を起動させるための入力操作がなされると、制御データが生成され、この制御データが各オプション機器へと通信されて、これらのオプション機器が起動する。
【００１６】
例えば、前記オプション機器は、前記制御データに基づき該オプション機器を制御する制御部を備えている。
【００１７】
この場合は、オプション機器による該オプション機器の制御が可能である。
【００１８】
また、前記画像形成装置のデータ通信部及びネットワーク通信部は、この画像形成装置が省電力状態で停止されていても動作する。
【００１９】
また、前記オプション機器は、このオプション機器が接続された画像形成装置が停止されていても起動可能である。
【００２０】
このため、画像形成装置が省電力状態で停止されていても、この画像形成装置のオプション機器は、他の画像形成装置のオプション機器との間でデータ通信を行うことができる。従って、制御データを各オプション機器間で送受して、各オプション機器を連係動作させることができる。例えば、各オプション機器を連係して起動させることができる。
【００２１】
一方、本発明の画像形成装置のオプション機器は、ネットワーク上の複数の画像形成装置にそれぞれ接続されて用いられる画像形成装置のオプション機器であって、前記オプション機器の制御データを前記各画像形成装置及び前記ネットワークを通じて他のオプション機器へと通信するデータ入出力部を備え、前記制御データに基づき前記各オプション機器を制御している。
【００２２】
このようなオプション機器は、上記本発明のネットワークシステムと同様の作用効果を奏する。
【００２３】
また、本発明のネットワークシステムにおけるオプション機器の制御方法は、それぞれのオプション機器が接続された複数の画像形成装置をネットワークを通じて接続したネットワークシステムにおけるオプション機器の制御方法であって、前記各画像形成装置の動作状態にかかわらず、前記各画像形成装置及び前記ネットワークを通じて、前記各オプション機器間で制御データを送受し、前記制御データに基づき各オプション機器を制御している。
【００２４】
このような制御方法においても、上記本発明のネットワークシステムと同様の作用効果を奏する。
【発明の効果】
【００２５】
本発明では、オプション機器の制御データをオプション機器と画像形成装置との間で送受することができ、またその制御データをネットワークを通じて他の画像形成装置との間で送受することもできる。従って、オプション機器の制御データを各画像形成装置及びネットワークを通じて他のオプション機器へと通信することができ、制御データに基づき各オプション機器を制御することができる。すなわち、同一内容の制御データに基づき各オプション機器を制御することができ、各オプション機器を連係動作させることができる。
【図面の簡単な説明】
【００２６】
【図１】本発明のネットワークシステムの一実施形態を示すブロック図である。
【図２】図１のシステムにおける１組の画像形成装置及びオプション機器の構成を示すブロック図である。
【図３】（ａ）は、制御データを送信する側の画像形成装置及びオプション機器の処理手順を示すフローチャートであり、（ｂ）は、制御データを受信する側の画像形成装置及びオプション機器の処理手順を示すフローチャートである。
【発明を実施するための形態】
【００２７】
以下、本発明の実施形態を添付図面を参照して詳細に説明する。
【００２８】
図１は、本発明のネットワークシステムの一実施形態を示すブロック図である。本実施形態のネットワークシステム１では、複数の画像形成装置２−１、２−２、…、２−nをネットワーク３を通じて接続し、各画像形成装置２−１〜２−n間のデータ通信を可能にしている。
【００２９】
ネットワーク３は、例えばＬＡＮ、インターネット、電話回線網等、もしくはそれらの組合せ、及びサーバーや中継装置等からなる。
【００３０】
各画像形成装置２−１〜２−nは、複写、原稿読取り、プリント、及び画像データ通信等の複数種の処理を選択的に実行することが可能な複合機であり、データ入出力制御部（データ通信部）２１、ネットワーク通信部２２、及び複合機能部２３を備えている。
【００３１】
また、各画像形成装置２−１〜２−nには、それぞれのオプション機器４−１〜４−nが接続されている。各オプション機器４−１〜４−nは、例えば空気清浄機であり、データ入出力部４１、機能部４２、電源スイッチ４３、及び制御部４４を備えている。空気清浄機は、室内の空気を浄化したり、画像形成装置から排出されたオゾン等を除去するために用いられる。
【００３２】
図２は、図１のシステム１における１組の画像形成装置及びオプション機器の構成を示すブロック図である。尚、図２においては、各画像形成装置の符号２−１〜２−nの代わりに、符号２を用い、また各オプション機器の符号４−１〜４−nの代わりに、符号４を用いている。
【００３３】
画像形成装置２において、データ入出力制御部２１は、オプション機器４のデータ入出力部４１との間で制御データを送受したり、オプション機器４の制御の一部を受け持つ。
【００３４】
ネットワーク通信部２２は、ネットワーク３を通じて、他の画像形成装置２との間で制御データを送受したり、画像データをファクシミリ通信する。また、ネットワーク通信部２２は、ネットワーク３を通じて、パーソナルコンピュータ等の外部端末との間で制御データや画像データを送受することも可能である。
【００３５】
複合機能部２３は、制御部２３−１、原稿スキャナ部２３−２、印字部２３−３、入力操作部２３−４、表示部２３−５、画像処理部２３−６、画像メモリ２３−７、及びプログラムメモリ２３−８等を備えている。制御部２３−１は、プログラムメモリ２３−８から各種のプログラムを読み出して実行し、画像形成装置２全体を制御する。原稿スキャナ部２３−２は、原稿を読取って、原稿画像を示す画像データを出力する。画像メモリ２３−７は、原稿スキャナ部２３−２から出力された画像データ、ネットワーク通信部２２により送受される画像データを一時的に蓄積する。画像処理部２３−６は、画像メモリ２３−７に一時的に蓄積された画像データに対して各種の画像処理を施す。印字部２３−３は、例えば電子写真方式により画像等を記録用紙に印字するものであり、画像メモリ２３−７内の画像データによって示される画像を静電潜像として感光体表面に形成し、トナーにより感光体表面の静電潜像を現像して、感光体表面にトナー像を形成し、トナー像を感光体から記録用紙に転写し、記録用紙を加熱及び加圧して、トナー像を記録用紙上に定着する。表示部２３−５は、例えば液晶表示装置である。入力操作部２３−４は、利用者により操作されるキーやボタン、あるいは表示部２３−５の画面に重ねられたタッチパネル等である。
【００３６】
このような画像形成装置２は、電源スイッチ（図示せず）を備えており、この電源スイッチが操作されてオンとなったときに複合機能部２３全体が起動され、この電源スイッチのオフのときに複合機能部２３における原稿スキャナ部２３−２、印字部２３−３、入力操作部２３−４、及び表示部２３−５等が停止されて、消費電力が低減される。
【００３７】
ただし、電源スイッチのオンオフにかかわらず、複合機能部２３の制御部２３−１、データ入出力制御部２１、及びネットワーク通信部２２等への電力供給が継続され、これらの動作状態が維持される。このため、電源スイッチのオンオフにかかわらず、データ入出力制御部２１を通じて、オプション機器４のデータ入出力部４１との間で制御データを送受したり、ネットワーク通信部２２及びネットワーク３を通じて、他の画像形成装置２との間で制御データや画像データを送受することができる。
【００３８】
これは、常時、他の画像形成装置２や外部端末からの画像データを受信することができるようにするためである。また、後で述べるように画像形成装置２の動作状態（電源スイッチのオフや省電力の状態を含む）にかかわらず、各画像形成装置２のオプション機器４間で制御データを送受することができるようにするためである。
【００３９】
また、予め設定されたタイムスケジュールに従って、画像形成装置２の電源スイッチをオン又はオフに切替える場合であっても、オンのときに複合機能部２３全体が起動され、またオンオフにかかわらず、複合機能部２３の制御部２３−１、データ入出力制御部２１、及びネットワーク通信部２２等の動作が継続され、画像データや制御データの通信が可能にされる。
【００４０】
更に、画像形成装置２の待機状態が長時間継続して、画像形成装置２が省電力モードに移行したときにも、制御部２３−１、データ入出力制御部２１、及びネットワーク通信部２２等が動作し、画像データや制御データの通信が可能にされる。
【００４１】
従って、画像形成装置２の動作状態（電源スイッチのオフや省電力の状態を含む）にかかわらず、画像形成装置２による画像データの受信や、オプション機器４による制御データの送受が可能である。
【００４２】
一方、オプション機器４において、データ入出力部４１は、画像形成装置２のデータ入出力制御部２１との間で制御データを送受する。
【００４３】
機能部４２は、オプション機器４の主なる機能を司る部分である。例えば、オプション機器４が空気清浄機であるとすると、機能部４２は、空気清浄機の送風ファンやイオン発生装置に相当する。
【００４４】
電源スイッチ４３は、オプション機器４の機能部４２をオン又はオフに切替えるために操作される。この電源スイッチ４３が操作されてオン又はオフされると、オプション機器４の機能部４２が起動されたり停止される。
【００４５】
制御部４４は、オプション機器４の機能部４２を制御する。例えば、オプション機器４が空気清浄機であって、機能部４２が送風ファンやイオン発生装置であるとすると、制御部４４は、送風ファンによる送風量やイオン発生装置によるイオン発生量を制御する。また、制御部４４は、利用者の操作に頼ることなく、電源スイッチ４３をオン又はオフに切替えて、機能部４２を起動させたり停止させることができる。
【００４６】
更に、データ入出力部４１及び制御部４４は、電源スイッチ４３のオンオフにかかわらず、電力供給を受けて動作している。このため、常に、データ入出力部４１を通じて、画像形成装置２のデータ入出力制御部２１との間で制御データを送受したり、制御部４４によりオプション機器４の電源スイッチ４３をオン又はオフに切替えることができる。
【００４７】
尚、オプション機器４の機能部４２の起動や停止は、電源スイッチ４３の切替えだけによらず、画像形成装置２の電源スイッチのオンオフに連動して切替えることも可能である。更に、これらの切替え方法を選択的に設定するようにしても構わない。
【００４８】
さて、図１のネットワークシステム１においては、ネットワーク３を通じて、各画像形成装置２間で画像データを送受することが可能である。画像形成装置２では、原稿スキャナ部２３−２により原稿の画像を読取って、この読取った原稿画像を示す画像データをネットワーク通信部２２からネットワーク３を通じて送信したり、画像データをネットワーク通信部２２で受信して、この受信した画像データによって示される画像を印字部２３−３で記録用紙に印刷する。
【００４９】
また、画像形成装置２の電源スイッチがオフにされていたり、画像形成装置２が省電力状態であって、画像形成装置２が停止されていても、オプション機器４の電源スイッチ４３をオンにすれば、オプション機器４を起動して利用することが可能である。例えば、オプション機器４が空気清浄機である場合は、画像形成装置２が停止されていても、電源スイッチ４３をオンにすると、空気清浄機だけを起動して、室内の空気を浄化することができる。
【００５０】
このため、ネットワーク３上の複数の画像形成装置２の動作状態にかかわらず、各画像形成装置２の空気清浄機を連係動作させれば、より便利になる。例えば、複数の画像形成装置２が広いオフィスに設置されている状況で、各画像形成装置２の空気清浄機を一括して起動させたり停止させれば、広いオフィスの空気を効率的に浄化することができる。
【００５１】
そこで、本実施形態のネットワークシステム１では、各オプション機器４のいずれか１つが起動されると、オプション機器４の起動を指示する制御データを生成して、この制御データをネットワーク３を通じて他のオプション機器４へと通信し、この制御データに基づき各オプション機器４を起動している。
【００５２】
次に、そのような各オプション機器４を連係動作させるための処理手順を図３（ａ）、（ｂ）のフローチャートを参照しつつ説明する。尚、図３（ａ）は、制御データを送信する側の画像形成装置２及びオプション機器４の処理手順を示し、また図３（ｂ）は、制御データを受信する側の画像形成装置２及びオプション機器４の処理手順を示している。
【００５３】
まず、１台の画像形成装置２において、オプション機器４の機能部４２が停止しているものとする。このとき、このオプション機器４の電源スイッチ４３がオンにされると（ステップＳ１０１）、オプション機器４の機能部４２が起動される。例えば、オプション機器４が空気清浄機である場合は、空気清浄機の送風ファンやイオン発生装置が起動される。
【００５４】
また、オプション機器４の制御部４４は、電源スイッチ４３のオンに応答してオプション機器４の起動を指示する制御データを生成し、この制御データをデータ入出力部４１から画像形成装置２のデータ入出力制御部２１へと出力する（ステップＳ１０２）。
【００５５】
画像形成装置２のデータ入出力制御部２１は、オプション機器４の起動を指示する制御データを入力すると（ステップＳ１０３）、各オプション機器４の連係動作が設定されているか否かを判定する（ステップＳ１０４）。
【００５６】
ここで、ネットワークシステム１においては、各オプション機器４の連係動作を設定するか否かが予め登録されているものとする。この登録は、例えば任意の画像形成装置２の入力操作部２３−４の入力操作により行われ、その登録内容、すなわち各オプション機器４の連係動作を設定するか否かがデータ入出力制御部２１に内蔵のメモリに記憶され、更にその登録内容が、ネットワーク通信部２２からネットワーク３を通じて他の各画像形成装置２へと送信されて、他の各画像形成装置２のデータ入出力制御部２１に内蔵のメモリにも記憶される。
【００５７】
このため、いずれの画像形成装置２においても、データ入出力制御部２１は、その内蔵のメモリを参照して、各オプション機器４の連係動作が設定されているか否かを判定することができる。
【００５８】
例えば、画像形成装置２のデータ入出力制御部２１は、各オプション機器４の連係動作が設定されていると判定すると（ステップＳ１０４で「Ｙｅｓ」）、オプション機器４の起動を指示する制御データをネットワーク通信部２２からネットワーク３を通じて他の画像形成装置２へと送信する（ステップＳ１０５）。
【００５９】
次に、他の画像形成装置２では、そのオプション機器４の起動を指示する制御データをネットワーク通信部２２で受信して、この制御データをデータ入出力制御部２１に入力する（ステップＳ２０１）。データ入出力制御部２１は、制御データを入力すると、この他の画像形成装置２にオプション機器４が接続されているか否かを判定する（ステップＳ２０２）。この判定は、データ入出力制御部２１からオプション機器４のデータ入出力部４１を通じて制御部４４への問い合わせにより行うことができる。
【００６０】
例えば、データ入出力制御部２１は、オプション機器４が接続されていると判定すると（ステップＳ２０２で「Ｙｅｓ」）、オプション機器４の起動を指示する制御データをオプション機器４のデータ入出力部４１に出力する（ステップＳ２０３）。
【００６１】
オプション機器４では、そのオプション機器４の起動を指示する制御データをデータ入出力部４１を介して制御部４４に入力する。制御部４４は、この制御データに応答して電源スイッチ４３をオンにして機能部４２を起動する（ステップＳ２０４）。
【００６２】
尚、各オプション機器４の連係動作が設定されていないと判定した場合は（ステップＳ１０４で「Ｎｏ」）、ステップＳ１０５が省略されて、制御データの送信が行われない。また、オプション機器４が接続されていないと判定した場合は（ステップＳ２０２で「Ｎｏ」）、ステップＳ２０４が省略されて、機能部４２の起動が行われない。
【００６３】
このように１台の画像形成装置２のオプション機器４の電源スイッチ４３がオンにされて、機能部４２が起動されると、オプション機器４の起動を指示する制御データが生成される。そして、この制御データがオプション機器４のデータ入出力部４１→画像形成装置２のデータ入出力制御部２１及びネットワーク通信部２２→ネットワーク３→他の画像形成装置２のネットワーク通信部２２及びデータ入出力制御部２１→他の画像形成装置２のオプション機器４のデータ入出力部４１及び制御部４４へと送受され、他の画像形成装置２のオプション機器４の制御部４４により機能部４２が起動される。勿論、ネットワーク３上に複数の他の画像形成装置２が存在し、これらの他の画像形成装置２にそれぞれのオプション機器４が接続されていれば、これらの他の画像形成装置２へと制御データが送信され、これらの他の画像形成装置２のオプション機器４の機能部４２が制御データによる指示に従って起動される。従って、制御データに基づいて全てのオプション機器４を連係動作させることができる。
【００６４】
また、先に述べたように画像形成装置２では、画像形成装置２の電源スイッチがオフにされていたり、画像形成装置２が省電力状態であって、画像形成装置２が停止されていても、データ入出力制御部２１を通じて、オプション機器４のデータ入出力部４１との間で制御データを送受したり、ネットワーク通信部２２及びネットワーク３を通じて、他の画像形成装置２との間で制御データや画像データを送受することができる。また、オプション機器４では、電源スイッチ４３のオンオフにかかわらず、データ入出力部４１を通じて、画像形成装置２のデータ入出力制御部２１との間で制御データを送受したり、制御部４４によりオプション機器４の機能部４２をオン又はオフに切替えることができる。このため、ネットワーク３上の各画像形成装置２の動作状態にかかわらず、１台のオプション機器４の電源スイッチ４３がオンにされて、オプション機器４の機能部４２が起動されると、制御データが生成されて、この制御データが各他のオプション機器４へと送信され、各他のオプション機器４の機能部４２も起動される。
【００６５】
以上、本発明の実施形態を詳述したが、本発明は、上記実施形態に限定されるものではなく、本発明の要旨を逸脱しない範疇の設計変更等が施されたものであっても、本発明の範囲に含まれる。
【００６６】
例えば、制御データは、オプション機器の起動を指示するだけではなく、オプション機器の他の様々な動作を指示するであってもよい。例えば、オプション機器が空気清浄機であれば、制御データにより送風量やイオン発生量を指示してもよい。
【００６７】
また、オプション機器として空気清浄機を例示しているが、画像形成装置とは独立して動作することが可能であれば、他の種類のオプション機器であっても構わない。
【符号の説明】
【００６８】
１  ネットワークシステム
２、２−１、２−２、…、２−n  画像形成装置
３  ネットワーク
４、４−１、４−２、…、４−n  オプション機器
２１  データ入出力制御部
２２  ネットワーク通信部
２３  複合機能部
４１  データ入出力部
４２  機能部
４３  電源スイッチ
４４  制御部
【図１】
2011124626.tif 000003
【図２】
2011124626.tif 000004
【図３】
2011124626.tif 000005